(57)【特許請求の範囲】
【請求項１】
外部から入力されるアナログ原画像信号をＡ／Ｄ変換して記録媒体に記録すべきディジタル画像記録信号を生成する画像記録信号変換手段と、
前記記録媒体に記録された前記ディジタル画像記録信号の再生時に用いられる制御情報を、前記ディジタル画像記録信号中における当該制御情報の挿入位置の直前及び直後の位置における各輝度値の平均値を用いて生成する制御情報生成手段と、
一画像の周縁から予め設定された所定の距離より外側の領域である周縁領域に対応する前記ディジタル画像記録信号中に、生成された当該制御情報を挿入する制御情報挿入手段と、
前記周縁領域を除く前記画像に対応する前記ディジタル画像記録信号中に、著作権情報を挿入する著作権情報挿入手段と、を備え、
当該著作権情報が、前記制御情報の前記周縁領域における挿入位置を示す位置情報を含むことを特徴とする画像記録信号生成装置。
【請求項２】
請求項１に記載の画像記録信号生成装置において、前記制御情報挿入手段は、前記周縁領域内の複数の異なる位置に対応する前記ディジタル画像記録信号内に前記制御情報を夫々挿入することを特徴とする画像記録信号生成装置。
【請求項３】
請求項１又は２に記載の画像記録信号生成装置において、前記制御情報は、前記ディジタル画像記録信号の記録の許可又は不許可のいずれか一方を示すことを特徴とする画像記録信号生成装置。
【請求項４】
請求項１から３のいずれか一項に記載の画像記録信号生成装置により生成され所定の変調方式で変調された前記ディジタル画像記録信号を前記記録媒体に記録する記録手段を備えることを特徴とする情報記録装置。
【請求項５】
請求項１から３のいずれか一項に記載の画像記録信号生成装置により生成され所定の変調方式で変調された前記ディジタル画像記録信号を記録したことを特徴とする記録媒体。
【請求項６】
請求項１に記載の画像記録信号生成装置により生成された前記ディジタル画像記録信号を再生して得られる前記アナログ信号を取得する取得手段と、
前記取得されたアナログ信号から少なくとも前記制御信号を抽出する抽出手段と、
前記抽出された制御情報に基づいて前記ディジタル画像記録信号の記録の許可又は不許可のいずれか一方を示す第２制御情報を生成する第２制御情報生成手段と、
前記生成された第２制御情報により、前記アナログ信号内の前記制御情報を置換し、当該置換後のアナログ信号に対応するディジタル画像記録信号を前記記録媒体に記録する記録手段と、
を備えることを特徴とする情報記録装置。
【請求項７】
請求項６に記載の情報記録装置において、前記抽出された制御情報に基づき前記ディジタル画像記録信号の記録が許可されているか否かを判定し、当該判定結果に応じて、前記記録手段における当該ディジタル画像記録信号の記録を制御する記録制御手段を更に有することを特徴とする情報記録装置。
【請求項８】
請求項６又は７に記載の情報記録装置において、前記制御情報が前記ディジタル画像記録信号の記録を一回のみ許可する旨を示すものである場合に、
前記第２制御情報生成手段は、前記第２制御情報として当該画像記録信号の記録の不許可を示す情報を生成することを特徴とする画像記録信号生成装置。
【発明の詳細な説明】
【０００１】
【発明の属する技術分野】
本発明は、正規に生成された情報が不法複写され、更に不法に再生されて一般に拡布されることを防止するための画像記録信号生成装置、情報記録装置及び記録媒体並びに情報複写装置の技術分野に属する。
【０００２】
【従来の技術】
一般的に映画等の画像情報は著作権により保護されている場合が多く、その場合には、これらの情報を無断で複写することは基本的には禁止されている。
【０００３】
また、当該著作権者においては、これらの複写を効果的に防止する方策を取る必要がある。
【０００４】
ここで、いわゆるＮＴＳＣ（National  Television  System  Committee）方式の画像情報を対象とした従来の不法複写防止方法としては、例えば、当該画像情報に対応する信号におけるいわゆる垂直ブランキング期間に複写に関する禁止情報（例えば、当該情報が含まれている画像情報の複写を禁止する旨の禁止情報又は１回のみの複写を許可する旨の禁止情報等。以下、この禁止情報をＣＣＩ（Copy  Condition  Information）情報と称する。）を挿入し、これを複写時に検出することにより、複写可能か又は複写禁止かを認識して複写可能な場合のみ複写を行っていた。
【０００５】
【発明が解決しようとする課題】
しかしながら、上記垂直ブランキング期間に相当する信号（いわゆる同期信号）は、画像情報としては元々重要な情報ではないため、一般には、ディジタル化処理等の信号処理の際に除去されることが多い。
【０００６】
すなわち、上記信号処理を実行する際には、外部から入力された画像情報を含む信号における上記同期信号を一旦取り除き、当該信号処理に対応した新たな同期信号を付加する場合が多いのである。
【０００７】
従って、当該信号処理（すなわち、垂直ブランキング期間内のＣＣＩ情報に対応していない信号処理）が実行されたときには、当該ＣＣＩ情報が信号処理の途中で欠落し、画像信号の複写時に正規のＣＣＩ情報が取得できずに不法複写が実行されてしまう場合があるという問題点があった。
【０００８】
そこで、本発明は、上記の各問題点に鑑みて為されたもので、その課題は、ＣＣＩ情報等の再生制御情報が欠落することに起因する不法複写等を防止することが可能な画像記録信号生成装置及び当該画像記録信号生成装置を含む情報記録装置並びに当該情報記録装置により画像信号が記録された記録媒体及び当該画像信号を複写する情報複写装置を提供することにある。
【０００９】
【課題を解決するための手段】
上記の課題を解決するために、請求項１に記載の発明は、外部から入力されるアナログ原画像信号をＡ／Ｄ変換して記録媒体に記録すべきディジタル画像記録信号を生成する画像記録信号変換手段と、前記記録媒体に記録された前記ディジタル画像記録信号の再生時に用いられる制御情報を、前記ディジタル画像記録信号中における当該制御情報の挿入位置の直前及び直後の位置における各輝度値の平均値を用いて生成する制御情報生成手段と、一画像の周縁から予め設定された所定の距離より外側の領域である周縁領域に対応する前記ディジタル画像記録信号中に、生成された当該制御情報を挿入する制御情報挿入手段と、前記周縁領域を除く前記画像に対応する前記ディジタル画像記録信号中に、著作権情報を挿入する著作権情報挿入手段と、を備え、当該著作権情報が、前記制御情報の前記周縁領域における挿入位置を示す位置情報を含むことを特徴とする。
【００１０】
また、上記の課題を解決するために、請求項２に記載の発明は、 請求項１に記載の画像記録信号生成装置において、前記制御情報挿入手段は、前記周縁領域内の複数の異なる位置に対応する前記ディジタル画像記録信号内に前記制御情報を夫々挿入するように構成される。
【００１１】
また更に、上記の課題を解決するために、請求項３に記載の発明は、請求項１又は２に記載の画像記録信号生成装置において、前記制御情報は、前記ディジタル画像記録信号の記録の許可又は不許可のいずれか一方を示すように構成される。
【００１２】
更に、上記課題を解決するために、請求項４に記載の発明は、請求項１から３のいずれか一項に記載の画像記録信号生成装置により生成され所定の変調方式で変調された前記ディジタル画像記録信号を前記記録媒体に記録する記録手段を備えることを特徴とする。
【００１３】
更にまた、上記課題を解決するために、請求項５に記載の発明は、請求項１から３のいずれか一項に記載の画像記録信号生成装置により生成され所定の変調方式で変調された前記ディジタル画像記録信号を記録したことを特徴とする。
【００１４】
また、上記課題を解決するために、請求項６に記載の発明は、請求項１に記載の画像記録信号生成装置により生成された前記ディジタル画像記録信号を再生して得られる前記アナログ信号を取得する取得手段と、前記取得されたアナログ信号から少なくとも前記制御信号を抽出する抽出手段と、前記抽出された制御情報に基づいて前記ディジタル画像記録信号の記録の許可又は不許可のいずれか一方を示す第２制御情報を生成する第２制御情報生成手段と、前記生成された第２制御情報により、前記アナログ信号内の前記制御情報を置換し、当該置換後のアナログ信号に対応するディジタル画像記録信号を前記記録媒体に記録する記録手段と、を備えることを特徴とする。
【００１５】
また更に、上記の課題を解決するために、請求項７に記載の発明は、前記抽出された制御情報に基づき前記ディジタル画像記録信号の記録が許可されているか否かを判定し、当該判定結果に応じて、前記記録手段における当該ディジタル画像記録信号の記録を制御する記録制御手段を更に有することを特徴とする。
【００１６】
更に、上記の課題を解決するために、請求項８に記載の発明は、請求項６又は７に記載の情報記録装置において、前記制御情報が前記ディジタル画像記録信号の記録を一回のみ許可する旨を示すものである場合に、前記第２制御情報生成手段は、前記第２制御情報として当該画像記録信号の記録の不許可を示す情報を生成することを特徴とする。
【００３７】
【発明の実施の形態】
次に本発明に好適な実施の形態について、図面に基づいて説明する。なお、以下に説明する実施の形態は、光ディスクの一種であるＤＶＤ（従来のＣＤ（Compact  Disk）に比して約７倍以上に記録容量を高めた光ディスク）に対して情報を記録する情報記録装置（より具体的には、ＤＶＤの大量生産に用いられるスタンパディスクを製造するためのカッティング装置）並びに当該ＤＶＤから再生された情報を複写するための情報複写装置に対して本発明を適用した場合の実施の形態である。
【００３８】
（Ｉ）本発明の原理
始めに、具体的な実施形態を説明する前に、本発明の原理について、図１を用いて説明する。
【００３９】
一般に、ＮＴＳＣ方式に準拠した画像を表示するＣＲＴ（Cathode  Ray  Tube）又はＰＤＰ（Plasma  Display  Panel）等の表示装置においては、図１（ａ）に示すように、外部から入力された画像信号（例えばテレビジョン放送等の電波を受信することに入力される画像信号）に対応する画像Ｇを表示する場合には、当該画像Ｇ全体を全て視認可能に表示するのではなく、当該画像Ｇにおける周縁から予め当該表示装置毎に設定されている距離Ｒだけ内側に設定された仮想的な枠内の画像ＨＲのみを使用者が視認可能に表示する場合が多い。
【００４０】
これは、当該画像Ｇより外側の領域に対応する上記画像信号は、いわゆる垂直ブランキング期間に相当する画像信号（当該垂直ブランキング期間内の画像信号には、いわゆる同期信号のみしか含まれていない。）であるため、この垂直ブランキング期間の画像信号の影響により実際に視認される画像が影響を受けることを防止すべく、上記距離Ｒだけ内側に入った領域のみを視認可能に表示するものである。
【００４１】
すなわち、具体的に図１（ｂ）を用いて説明すると、一般に、ＮＴＳＣ方式の上記画像信号内には、水平同期信号Ｓh、バースト信号Ｓb、実際の画像に対応する実体画像信号Ｓg等が含まれており、このうち、実体画像信号Ｓgに相当する期間を水平走査期間Ｔhsと称し、更に実体画像信号Ｓgと次の実体画像信号Ｓgとの間の期間を水平帰線消去期間Ｔhbと称する。
【００４２】
そして、この水平走査期間Ｔhsが実際の画像が含まれている期間となるわけであるが、このうち、実際に視認可能に表示される画像は、上記水平走査期間Ｔhsのうちの一部である表示画像期間Ｔhrに相当する実体画像信号Ｓgにより表示される画像とされているのである。
【００４３】
ここで、上記表示画像期間Ｔhrを水平走査期間Ｔhsで除した値は、ＣＲＴの場合は例えば約９０％とされ、ＰＤＰの場合には例えば９７％とされる。
【００４４】
そして、本発明では、水平走査期間Ｔhsのうち表示画像期間Ｔhr以外の期間に対応する実体画像信号Ｓg中に、当該画像信号が複写可能な画像を含むものか、又は複写禁止とされるべき画像を含むものかを示す上記ＣＣＩ情報を挿入する。
【００４５】
すなわち、図１（ａ）に示すように、画像Ｇのうち、画像ＨＲを除く周縁部の実際に視認可能に表示されない部分の画像に対応する実体画像信号Ｓg内に、上記ＣＣＩ情報Ｊを複数箇所に渡って挿入するのである。
【００４６】
そして、当該ＣＣＩ情報Ｊが挿入された状態で画像信号が伝送されたり、又は記録媒体内に記録されて拡布されるのである。
【００４７】
（II）第１実施形態
次に、上述した原理を有する本発明に好適な第１の実施形態について、図２乃至図５を用いて説明する。
【００４８】
（Ａ）カッティング装置の第１実施形態
始めに、第１実施形態に係るカッティング装置の実施形態について、図２及び図３を用いて説明する。
【００４９】
なお、図２は当該カッティング装置の全体構成を示すブロック図であり、図３は本発明に係る禁止情報書込器の細部構成を示すブロック図である。
【００５０】
図１に示すように、実施形態のカッティング装置１は、データ生成器２と、禁止情報書込器３と、エンコーダ４と、記録手段としてのレーザ発生器５と、光変調器６と、対物レンズ７と、スピンドルモータ１３と、回転検出器９と、回転サーボ回路８と、送りユニット１２と、位置検出器１１と、送りサーボ回路１０と、により構成されている。
【００５１】
また、スタンパディスクＳＰは、レジスト１４と、ガラス基板１５とにより構成されている。ここで、レジスト１４は、後述の光ビームＢが照射されることにより感光され、当該光ビームＢの強度の変化に対応した形状のピットが形成されるものである。
【００５２】
次に、概要動作を説明する。
【００５３】
データ生成器１は、ＤＶＤに記録すべきデータ（画像情報や音声情報等）を生成し、ＮＴＳＣ方式に準拠するアナログ信号であるデータ信号Ｓdとして禁止情報書込器３に出力する。
【００５４】
次に、禁止情報書込器３は、データ信号Ｓdに対して、後述する動作により、ＤＶＤに記録される画像情報等の複写を許可するか否かを示す上記ＣＣＩ情報及び著作権情報（ＣＣＩ情報と同様にＤＶＤに記録されるデータが正規の（すなわち、不法複写でない）データであることを示す著作権情報であるが、当該ＣＣＩ情報と異なり、図１（ａ）における画像ＨＲ内に、いわゆる電子透かし（ウオーターマークとも称される。）として画像ＨＲの表示に影響を及ぼさない方法で挿入される情報であり、通常、当該電子透かしが挿入されていないと複写可能であることを示し、挿入されていると複写可能でないことを示すこととされている場合が多い。）を挿入し、挿入データ信号Ｓdrを生成する。
【００５５】
そして、エンコーダ４は、挿入データ信号Ｓdrに対してインターリーブ及び８−１６変調等を施し、記録データ信号Ｓrを生成する。このとき、当該エンコーダ４では、挿入データ信号Ｓdrにおける垂直ブランキング期間に相当する部分を除去して新たに同期信号を付け直して記録データ信号Ｓrを生成する。
【００５６】
一方、レーザ発生器５は、スタンパディスクＳＰに対してＤＶＤとしてのピットを形成するための光ビームＢを出射する。
【００５７】
そして、光変調器６は、レーザ発生器５が発生した光ビームＢを上記記録データ信号Ｓrを用いて強度変調する。
【００５８】
次に、対物レンズ７は、強度変調された光ビームＢをスタンパディスクＳＰのレジスト１４上に集光する。
【００５９】
このとき、スピンドルモータ１３はスタンパディスクＳＰを回転させる。
【００６０】
そして、回転検出器９はスタンパディスクＳＰの回転数を検出する。
【００６１】
これにより、回転サーボ回路８は、検出された回転数に基づいて、スタンパディスクＳＰの回転をサーボ制御する。
【００６２】
また、送りユニット１２は、上記ピットが一列に並んで構成される螺旋状のトラックをスタンパディスクＳＰ上に形成するために、スタンパディスクＳＰの回転に対応してスピンドルモータ１３及びスタンパディスクＳＰを当該スタンパディスクＳＰの半径方向に移動させる。
【００６３】
このとき、位置検出器１１は送りユニット１２の位置を検出する。
【００６４】
そして、送りサーボ回路１０は検出された送りユニット１２の位置に基づいて送りユニット１２の移動をサーボ制御する。
【００６５】
以上の動作により、記録データ信号Ｓrに対応したピットが螺旋状のトラックを形成してスタンパディスクＳＰのレジスト１４上に形成され、ＤＶＤ製造のための抜き型としてのスタンパディスクＳＰが完成することとなる。
【００６６】
この後は、当該スタンパディスクＳＰを用いて、樹脂成形、反射膜形成、保護層形成等のいわゆるレプリケーションプロセスが実行されて、記録データ信号Ｓrに対応したピットを有するレプリカディスクとしてのＤＶＤが大量生産される。
【００６７】
次に、本発明に係る禁止情報書込３の細部構成及び動作について、図３を用いて説明する。
【００６８】
図３に示すように、禁止情報書込器３は、Ａ／Ｄ（Analog/Digital）コンバータ２０と、遅延器２１と、シンク検出器２２と、カウンタ２３及び２４と、バースト信号検出器２５と、クロック発生器２６と、位置検出回路２７及び２８と、スイッチ２９及び３０と、制御情報挿入手段及び著作権情報挿入手段としてのＣＰＵ３１と、により構成されている。
【００６９】
次に、動作を説明する。
【００７０】
なお、禁止情報書込器３の動作の前提として、挿入データ信号Ｓdrに対応する画像中におけるＣＣＩ情報を挿入すべき位置（図１（ａ）参照）及び著作権情報を挿入する位置は予め定められており、その位置を示す位置情報が夫々位置検出器２７及び２８中の図示しないメモリ内に記憶されているものとする。
【００７１】
また、禁止情報書込器３により挿入されるＣＣＩ情報は、ＤＶＤに記録されるデータが１回のみ複写可能であることを示すＣＣＩ情報か、又は当該データが複写禁止であることを示すＣＣＩ情報のいずれかであるとする。
【００７２】
更に、ＣＣＩ情報と共に挿入される著作権情報（電子透かし）には、データ信号Ｓdに対応する画像情報等が記録される記録媒体の種類（第１実施形態の場合はＤＶＤ）又は当該画像情報等が伝送される媒体の種類（当該ＤＶＤに記録したデータを放送等を介して拡布する場合には、その媒体として使用されるもの（例えばケーブルテレビジョンシステム又は衛生放送システム等））を示す情報と、当該ＤＶＤに記録されるデータの複写に関する情報（即ち、複写可能であるか、予約録画可能であるか、或いは複写禁止であるかを示す情報）と、当該データに関する著作権の所有者名を示す情報と、上記ＣＣＩ情報が挿入されている画像上の位置を示す情報が含まれる。
【００７３】
データ生成器２からのデータ信号Ｓdが入力されると、Ａ／Ｄコンバータ２０は、当該データ信号Ｓdをディジタル信号に変換し、ディジタルデータ信号Ｓddを生成して遅延器２１に出力する。
【００７４】
これと並行して、バースト信号検出器２５は、データ信号Ｓd中の上記バースト信号（図１（ｂ）参照）Ｓbを検出し、クロック発生器２６に出力する。
【００７５】
そして、クロック発生器２６は、バースト信号Ｓbに基づいて、禁止情報書込器３全体の動作の基準となるクロック信号Ｓclkを生成し、上記各構成部材に出力すると共にカウンタ２３及びカウンタ２４へ出力する。
【００７６】
更に、シンク検出器２２は、データ信号Ｓdにおける水平同期信号を抽出して水平同期信号Ｓhとしてカウンタ２３に出力すると共に、当該データ信号Ｓdにおける垂直同期信号を抽出して垂直同期信号Ｓvとしてカウンタ２４に出力する。
【００７７】
そして、カウンタ２３は、一の水平同期信号Ｓhが入力されたタイミングから次の水平同期信号Ｓhが入力されるまでの間に入力されるクロック信号Ｓclkのパルスを計数し、計数信号Ｓchとして位置検回路２７及び２８に出力する。
【００７８】
一方、カウンタ２４は、一の垂直同期信号Ｓvが入力されたタイミングから次の垂直同期信号Ｓvが入力されるまでの間に入力されるクロック信号Ｓclkのパルスを計数し、計数信号Ｓcvとして位置検出回路２７及び２８に出力する。
【００７９】
そして、位置検出回路２７は、上記計数信号Ｓch及び計数信号Ｓcv並びに図示しないメモリ内の上記位置情報に基づいて、上記著作権情報を挿入すべき画像ＨＲ内の位置を示す位置信号Ｓsw1を生成し、スイッチ２９に出力する。
【００８０】
このとき、具体的には、上記著作権情報が画像ＨＲ内の４個所に分散して挿入されるものとすると、一の画像ＨＲに対応するデータ期間中における夫々の著作権情報が挿入されるタイミングで位置信号Ｓsw1が４回出力されることとなる。
【００８１】
一方、位置検出回路２８は、上記計数信号Ｓch及び計数信号Ｓcv並びに図示しないメモリ内の上記位置情報に基づいて、上記ＣＣＩ情報を挿入すべき画像Ｇ内の位置を示す位置信号Ｓsw2を生成し、スイッチ３０及びＣＰＵ３１に出力する。
【００８２】
このとき、具体的には、上述のように著作権情報を画像ＨＲ内の４個所に挿入するとすると、上記ＣＣＩ情報は画像Ｇ内の画像ＨＲ以外の領域内の任意の１６個所の位置のうちいずれかの位置に挿入することが可能となり、一の画像Ｇに対応するデータ期間中における当該ＣＣＩ情報が挿入されるタイミングで位置信号Ｓsw2が出力されることとなる。
【００８３】
一方、遅延器２１は、上述したカウンタ２３及び２４並びに位置検出回路２７及び２８における夫々の処理に必要な時間だけディジタルデータ信号Ｓddを遅延し、スイッチ２９の一方の入力端子及びＣＰＵ３１に出力する。
【００８４】
また、ＣＰＵ３１は、上記著作権情報の内容を示す著作権情報信号Ｓwmを生成し、スイッチ２９の他方の入力端子に出力する。
【００８５】
このとき、上述したように著作権情報を画像ＨＲ内の４個所に挿入するとした場合、４種類の著作権情報信号Ｓwmが夫々の挿入タイミングに対応するようにスイッチ２９に出力されることとなるが、このとき、夫々の著作権情報信号Ｓwmに対応する著作権情報を四つ組み合わせることにより、上述した各情報（すなわち、データ信号Ｓdに対応する画像情報等が記録される記録媒体の種類又は当該画像情報等が伝送される媒体の種類を示す情報、当該ＤＶＤに記録されるデータの複写に関する情報、当該データに関する著作権の所有者名を示す情報及びＣＣＩ情報が挿入されている画像Ｇ上の位置を示す情報）が記述されることとなる。
【００８６】
このうち、ＣＣＩ情報が挿入されている画像Ｇ上の位置を示す情報の記述方法としては、例えば、各著作権情報に対応する画像データ中の下位４ビット目の値（「０」又は「１」）を四つの著作権情報で組み合わせることにより全体で４ビットとし、これにより画像Ｇ内の上述した１６（＝２4）個所のＣＣＩ情報挿入可能位置のうちのいずれかを表現することができる。
【００８７】
これと並行して、ＣＰＵ３１は、上記ＣＣＩ情報の内容を示すＣＣＩ情報信号Ｓcciを生成し、スイッチ３０の一方の入力端子に出力する。
【００８８】
このとき、ＣＣＩ情報としては、具体的には、上述したようにＤＶＤに記録されるデータが１回のみ複写可能であるか、又は複写禁止であるかを示す情報が含まれることとなるが、このＣＣＩ情報に対応するＣＣＩ情報信号Ｓcciを生成する際には、上記ディジタルデータ信号Ｓddのうち、位置信号Ｓsw2で示されるＣＣＩ情報を挿入する位置の直前のタイミングのディジタルデータ信号Ｓddに含まれる輝度の値と当該位置の直後のタイミングのディジタルデータ信号Ｓddに含まれる輝度の値とを平均し、複写禁止であることを示すＣＣＩ情報を挿入する際には当該平均値をそのままＣＣＩ情報信号Ｓcciの値として出力し、一方、１回のみ複写可能であることを示すＣＣＩ情報を挿入する際には当該平均値に予め設定されたオフセット値を加算した値をＣＣＩ情報信号Ｓcciの値として出力する。
【００８９】
次に、スイッチ２９は、通常はディジタルデータ信号Ｓdd側に切り換わっており、位置信号Ｓsw1で示されるタイミングで著作権情報信号Ｓwm側に切り換わる。これにより、当該位置信号Ｓsw1で示されるタイミングでディジタルデータ信号Ｓddに著作権情報信号Ｓwmが挿入された挿入データ信号Ｓdwが生成され、当該挿入データ信号Ｓdwがスイッチ３０の他方の端子に出力される。
【００９０】
そして、スイッチ３０は、通常は挿入データ信号Ｓdw側に切り換わっており、位置信号Ｓsw2で示されるタイミングでＣＣＩ情報信号Ｓcci側に切り換わる。これにより、当該位置信号Ｓsw2で示されるタイミングで挿入データ信号ＳdwにＣＣＩ情報信号Ｓcciが挿入された上記挿入データ信号Ｓdrが生成され、当該挿入データ信号Ｓdrが上記エンコーダ４に出力される。
【００９１】
その後、上述したエンコーダ４及びレーザ発生器５等の動作により、上記著作権情報及びＣＣＩ情報が挿入された画像情報を含むデータ信号がスタンパディスクＳＰに記録されることとなる。
【００９２】
（Ｂ）情報複写装置の第１実施形態
次に、第１実施形態に係る情報複写装置の実施形態について、図４及び図５を用いて説明する。
【００９３】
なお、図４は当該情報複写装置の全体構成を示すブロック図であり、図５は本発明に係る情報複写処理を示すフローチャートである。
【００９４】
図４に示すように、情報複写装置Ｃは、Ａ／Ｄコンバータ４０と、遅延器４１、５２及び５３と、シンク検出器４２と、カウンタ４３及び４４と、バースト信号検出器４５と、クロック発生器４６と、位置検出回路４７及び４８と、ラッチ回路４９及び５０と、抽出手段としてのＣＰＵ５１と、加算器５４と、除算器５５と、スイッチ５６と、複写手段及び記録手段としての記録器５７と、により構成されている。
【００９５】
次に、動作を説明する。
【００９６】
なお、情報複写装置Ｃの動作の前提としては、上記カッティング装置１により製造されたＤＶＤから再生されたデータ信号が、例えば、衛星放送システム等の放送媒体又はケーブルテレビジョンシステム等の伝送媒体を介してＮＴＳＣ方式のアナログデータ信号として情報複写装置Ｃに入力され、当該情報複写装置Ｃは、入力されるアナログデータ信号中に含まれている上記著作権情報及びＣＣＩ情報に基づいて当該アナログデータ信号を複写する。
【００９７】
また、当該アナログデータ信号に対応する画像中におけるＣＣＩ情報が挿入されている位置（図１（ａ）参照）及び著作権情報が挿入されている位置は上述のように予め定められており、その位置を示す位置情報が夫々位置検出器４７及び４８中の図示しないメモリ内に記憶されているものとする。
【００９８】
上記放送媒体又は伝送媒体を介して、ＤＶＤから再生されたアナログデータ信号Ｓa（ＮＴＳＣ方式に準拠しており、上記著作権情報及びＣＣＩ情報を含む。）が入力されると、Ａ／Ｄコンバータ４０は、当該アナログデータ信号Ｓdをディジタル信号に変換し、ディジタルデータ信号Ｓadを生成して遅延器４１に出力する。
【００９９】
これと並行して、バースト信号検出器４５は、アナログデータ信号Ｓa中の上記バースト信号Ｓbを検出し、クロック発生器４６に出力する。
【０１００】
そして、クロック発生器４６は、バースト信号Ｓbに基づいて、情報複写装置Ｃ全体の動作の基準となるクロック信号Ｓclkを生成し、上記各構成部材に出力すると共にカウンタ２３及び２４並びに遅延器５２及び５３へ出力する。
【０１０１】
更に、シンク検出器４２は、アナログデータ信号Ｓaにおける水平同期信号を抽出して水平同期信号Ｓhとしてカウンタ４３に出力すると共に、当該アナログデータ信号Ｓaにおける垂直同期信号を抽出して垂直同期信号Ｓvとしてカウンタ４４に出力する。
【０１０２】
そして、カウンタ４３は、一の水平同期信号Ｓhが入力されたタイミングから次の水平同期信号Ｓhが入力されるまでの間に入力されるクロック信号Ｓclkのパルスを計数し、計数信号Ｓchとして位置検回路４７及び４８に出力する。
【０１０３】
一方、カウンタ４４は、一の垂直同期信号Ｓvが入力されたタイミングから次の垂直同期信号Ｓvが入力されるまでの間に入力されるクロック信号Ｓclkのパルスを計数し、計数信号Ｓcvとして位置検回路４７及び４８に出力する。
【０１０４】
そして、位置検出回路４７は、上記計数信号Ｓch及び計数信号Ｓcv並びに図示しないメモリ内の上記位置情報に基づいて、上記著作権情報が挿入されていることとなっている画像ＨＲ（アナログデータ信号Ｓaとして入力されている画像ＨＲ）内の位置を示す位置信号Ｓpwを生成し、ラッチ回路４９のリセット端子に出力する。
【０１０５】
このとき、具体的には、上記著作権情報は画像ＨＲ内の４個所に分散して挿入されているはずであるので、一の画像ＨＲに対応するデータ期間中における夫々の著作権情報が挿入されているタイミングで位置信号Ｓpwが４回出力されることとなる。
【０１０６】
一方、位置検出回路４８は、上記計数信号Ｓch及び計数信号Ｓcv並びに図示しないメモリ内の上記位置情報に基づいて、上記ＣＣＩ情報が挿入されている画像Ｇ（アナログデータ信号Ｓaとして入力されている画像Ｇ）内の位置を示す位置信号Ｓpcを生成し、ラッチ回路５０のリセット端子及びＣＰＵ５１に出力する。
【０１０７】
このとき、具体的には、上記ＣＣＩ情報が挿入されている位置に対応して、一の画像Ｇに対応するデータ期間中における当該ＣＣＩ情報が挿入されているタイミングで位置信号Ｓpcが出力されることとなる。
【０１０８】
一方、遅延器４１は、上述したカウンタ４３及び４４並びに位置検出回路４７及び４８における夫々の処理に必要な時間だけディジタルデータ信号Ｓadを遅延し、各ラッチ回路４９及び５０の入力端子及び遅延器５２並びに加算器５４に出力する。
【０１０９】
これにより、ラッチ回路４９は、位置信号Ｓpwで示されるタイミングに対応するディジタルデータ信号Ｓadから上記著作権情報を読み出し、その内容を示す著作権情報信号ＳwmをＣＰＵ５１に出力する。
【０１１０】
一方、ラッチ回路５０は、位置信号Ｓpcで示されるタイミングに対応するディジタルデータ信号Ｓadから上記ＣＣＩ情報を読み出し、その内容を示すＣＣＩ情報信号ＳcciをＣＰＵ５１に出力する。
【０１１１】
そして、ＣＰＵ５１は、位置信号Ｓpc、著作権情報信号Ｓwm及びＣＣＩ情報信号Ｓcciに基づいて、図５に示す処理を実行するための制御信号Ｓcをスイッチ５６に出力する。
【０１１２】
次に、遅延器５２は、ディジタルデータ信号Ｓadをクロック信号Ｓclkにおける１クロック分だけ遅延し、遅延信号Ｓdl1を生成して遅延器５３及びスイッチ５６の一の入力端子へ出力する。
【０１１３】
そして、遅延器５３は、遅延信号Ｓdl1をクロック信号Ｓclkにおける１クロック分だけ更に遅延し、遅延信号Ｓdl2を生成して加算器５４へ出力する。
【０１１４】
これにより、加算器５４は遅延信号Ｓdl2とディジタルデータ信号Ｓadとを加算し、加算信号Ｓaddを生成して除算器５５へ出力する。
【０１１５】
そして、除算器５５は、加算信号Ｓaddの値を「２」で除し、除算信号Ｓdvを生成してスイッチ５６の他方の端子に出力する。
【０１１６】
ここで、遅延器５２及び５３並びに加算器５４及び除算器５５は、複写された画像情報（情報複写装置Ｃにより複写された画像情報）における新たなＣＣＩ情報（第１実施形態の場合は、元のアナログデータ信号Ｓadに含まれているＣＣＩ情報が１回のみ複写可能であることを示すか又は複写禁止であることを示すかのいずれかであるので、当該新たなＣＣＩ情報としては、元のアナログデータ信号Ｓadに含まれているＣＣＩ情報が１回のみ複写可能であることを示す場合に、新たに複写された画像情報が最早複写禁止であることを示すＣＣＩ情報が生成されることとなる。）を生成するための構成部材であり、当該新たなＣＣＩ情報が挿入される位置の直前のタイミングのディジタルデータ信号Ｓadに含まれる輝度の値と当該位置の直後のタイミングのディジタルデータ信号Ｓadに含まれる輝度の値とを平均し、複写禁止であることを示す新たなＣＣＩ情報として当該平均値をそのままスイッチ５６に出力するものである。
【０１１７】
そして、スイッチ５６は、制御信号Ｓcに基づいて、遅延信号Ｓdl1と除算信号Ｓdvとを切り換えて記録データ信号Ｓrrとして記録器５７に出力する。
【０１１８】
なお、スイッチ５６から記録データ信号Ｓrrが出力されるのは、元のアナログデータ信号Ｓadに含まれているＣＣＩ情報が１回のみ複写可能であることを示す場合のみであり、その場合には、上述した複写禁止であることを示す新たなＣＣＩ情報（すなわち、除算信号Ｓdv）が当該新たなＣＣＩ情報を挿入するタイミングで記録データ信号Ｓrrとして出力されることとなる。
【０１１９】
その後、記録器５７は、記録データ信号Ｓrrが出力された場合にこれを所定の記録媒体（例えば、ビデオテープ又は記録可能な光ディスク等）に複写記録する。
【０１２０】
次に、ＣＰＵ５１において実行される複写制御処理について、図５を用いて説明する。
【０１２１】
図５に示すように、ＣＰＵ５１においては、著作権情報信号Ｓwnに基づいて、ディジタルデータ信号Ｓadから著作権情報（図５において、「ウオーターマーク」と示す。）を検出する（ステップＳ１）。
【０１２２】
そして、当該著作権情報が検出されたか否かを判定し（ステップＳ２）、検出されていない時は（ステップＳ２；ｎｏ）、ディジタルデータＳadを複写すべく制御信号Ｓcをスイッチ５６に出力する。
【０１２３】
そして、スイッチ５６では、当該スイッチ５６が常に遅延信号Ｓdl1側に切り換えられ、当該遅延信号Ｓdl1（内容としては、元のディジタルデータ信号Ｓadと全く同様である。）が記録データ信号Ｓrrとして出力されて、複写（上記新たなＣＣＩ情報及び著作権情報を含まないディジタルデータ信号Ｓadの複写）が記録器５７において実行される（ステップＳ９）。
【０１２４】
一方、ステップＳ２の判定において、著作権情報が検出されたときは（ステップＳ２；ｙｅｓ）、次に、当該検出された著作権情報の内容を判定する（ステップＳ３）。
【０１２５】
そして、著作権情報の内容が、予約録画可能であることを示すか否かを判定し（ステップＳ４）、予約録画可能でないことを示すときは（ステップＳ４；ｎｏ）、次に著作権情報の内容が複写禁止を示すか否かを判定し（ステップＳ６）、複写禁止を示すときは（ステップＳ６；ｙｅｓ）、スイッチ５７から記録データ信号Ｓrrを出力させないように制御信号Ｓcを出力して処理を終了する。
【０１２６】
一方、ステップＳ６の判定において、複写禁止を示していないときは（ステップＳ６；ｙｅｓ）上記ステップＳ９に移行して複写を行う。
【０１２７】
また、ステップＳ４の判定において、著作権情報が予約録画が可能であることを示すときは（ステップＳ４；ｙｅｓ）、次に、ＣＣＩ情報信号Ｓcciに基づいて、ディジタルデータ信号ＳadからＣＣＩ情報を検出する（ステップＳ５）。
【０１２８】
そして、検出したＣＣＩ情報の内容を判定し（すなわち、当該ＣＣＩ情報として輝度の平均値にオフセットが加算されているか否かを判定し（ステップＳ７））、オフセットがあるときはディジタルデータ信号Ｓadが１回のみ複写可能であるとして（ステップＳ７；ｙｅｓ）、当該ＣＣＩ情報を除算器５６から出力される除算信号Ｓdv（上記新たなＣＣＩ情報）に変更して（ステップＳ８）複写を実行する（ステップＳ９）。
【０１２９】
このステップＳ８及びＳ９においては、ＣＰＵ５１は、位置信号Ｓpc及び著作権情報信号Ｓwmに含まれている著作権情報中のＣＣＩ情報の位置を示す位置情報に基づいて、元のディジタルデータ信号ＳadにおいてＣＣＩ情報があったタイミングにおいてスイッチ５６を除算信号Ｓdv側に切り換えると共に、その他のタイミングでは遅延信号Ｓdl1側に切り換えるように制御信号Ｓcを出力し、当該新たなＣＣＩ情報としての除算信号Ｓdvが元のＣＣＩ情報の位置に挿入された記録データ信号Ｓrrを生成して記録器５７に出力させ、当該記録器５７において複写が実行されることとなる。
【０１３０】
一方、ステップＳ７の判定において、ＣＣＩ情報においてオフセットがないときは、ディジタルデータ信号Ｓadが複写禁止であるとして（ステップＳ７；ｎｏ）、そのまま記録データ信号Ｓrrをスイッチ５６から出力させないように制御信号Ｓcを出力して処理を終了する。
【０１３１】
以上説明したように、第１実施形態のカッティング装置１及び情報複写装置Ｃの動作によれば、ＣＣＩ情報が画像Ｇ内の画像ＨＲ以外の周縁領域内に挿入されているので、信号処理の過程において垂直ブランキング期間に相当する信号を除去する処理等を実行しても当該ＣＣＩ情報が消去されてしまうことがないこととなり、ＤＶＤに記録される記録データ信号Ｓrを生成する際に確実にＣＣＩ情報を付加することができる。
【０１３２】
また、画像Ｇ内の周縁領域にＣＣＩ情報を挿入するので、当該画像Ｇにおける画質劣化を最小限に抑制することができる。
【０１３３】
更に、画像Ｇ内にＣＣＩ情報を挿入するので、画像を処理する回路以外の他の回路を用いることなくＣＣＩ情報を伝送することができる。
【０１３４】
更に、ＣＣＩ情報が記録データ信号Ｓrの複写の許可又は不許可のいずれか一方を示す情報であるので、当該ＣＣＩ情報の欠落を防止することにより、不法複写を未然に防止することができる。
【０１３５】
また、画像ＨＲ内に著作権情報を挿入すると共に、当該著作権情報が、ＣＣＩ情報の挿入位置を示す位置情報を含むので、ＣＣＩ情報の挿入位置を正確に把握して複写することができる。
【０１３６】
更にまた、ＣＣＩ情報を挿入するタイミングの前後のタイミングに対応するディジタルデータ信号Ｓddの輝度の平均値を用いて当該ＣＣＩ情報を記述するので、ディジタルデータ信号Ｓddにおける画質の劣化を最小限としてＣＣＩ情報を挿入することができる。
【０１３７】
更にまた、ＤＶＤに記録されている画像中にＣＣＩ情報が挿入されているので、確実にＣＣＩ情報を取得して不法複写を防止しつつ複写することができる。
【０１３８】
また、他の記録媒体に記録データ信号Ｓrrを複写する際に、上記著作権情報を記録する必要がないので、情報複写装置Ｃの構成を簡略化することができる。
【０１３９】
なお、上述の第１実施形態では、ＣＣＩ情報を画像Ｇの周縁領域の中の一個所のみに挿入するようにしたが、これ以外に、１６個所以下の複数の箇所に異なるＣＣＩ情報を挿入するように構成し、その挿入位置を示す位置情報を著作権情報中に含ませるようにすれば、ＣＣＩ情報の盗用等を確実に防止して確実にＣＣＩ情報を用いた複写を行うことができると共に、外部から雑音等が混入してもＣＣＩ情報を確実に取得することができる。
【０１４０】
更に、上述の第１実施形態においては、ＣＣＩ情報としては、１回のみ複写を許可することを示す情報又は複写を禁止する情報のいずれかを含ませる構成としたが、これ以外に、例えば、データ信号Ｓdが衛星放送システム又はケーブルテレビシステムのうちいずれの媒体を介して入力されたものかを示す情報を更に含ませてもよい。
【０１４１】
また、ＣＣＩ情報を生成する際に、ＣＣＩ情報を挿入する位置の直前のタイミングのディジタルデータ信号Ｓddに含まれる輝度の値と当該位置の直後のタイミングのディジタルデータ信号Ｓddに含まれる輝度の値とを用いる他に、画像における垂直方向上下に隣接するの二つのディジタルデータ信号Ｓddに含まれる輝度の値を用いてＣＣＩ情報を生成してもよい。
【０１４２】
更に、上述の第１実施形態では、画像Ｇ内で実際に視認可能に表示されない周縁領域内にＣＣＩ情報Ｊを挿入する場合について説明したが、これ以外に、視認可能に表示されない領域がない場合（すなわち、図１（ａ）において、画像ＨＲと画像Ｇが等しい表示装置で表示する場合）でも、当該画像Ｇの周縁領域にＣＣＩ情報Ｊを挿入すれば、使用者は画像Ｇの中心位置を視線位置として画像を見るのが通常であるので、画質の劣化を認識させることを抑制してＣＣＩ情報Ｊを挿入することができる。
【０１４３】
また、上述の第１実施形態においては、禁止情報書込器３をカッティング装置１内に含む構成について説明したが、これ以外に、当該禁止情報書込器３を情報複写装置内に含ませるようにしてもよい。
【０１４４】
この場合には、当該情報複写装置内の禁止情報書込器３により、複写される画像信号に対して上記ＣＣＩ情報及び著作権情報が挿入されることとなり、当該複写後の画像信号においては、当該挿入されたＣＣＩ情報及び著作権情報に基づいて複写管理が為されることとなる。
【０１４５】
また、図４に示す情報再生装置Ｃにおいて、遅延信号Ｓdl2をスイッチ５６の一方の入力端子に入力する代わりに、除算信号Ｓdvに対して予め設定された所定のオフセットを更に加算した信号を当該入力端子に入力し、これと除算信号Ｓdvとを切り換えて記録データ信号ＳrrにＣＣＩ情報を挿入するように構成することもできる。
【０１４６】
更に、図４に示す情報複写装置Ｃをカッティング装置内に組み込み、予め著作権情報及びＣＣＩ情報が挿入されて外部から供給されるデータ信号に基づいて新たなＣＣＩ情報が挿入された記録データ信号を生成し、これをスタンパディスクに記録することによりＤＶＤを生産するように構成することもできる。
【０１４７】
更にまた、上記第１実施形態の情報複写装置Ｃにおいては、衛星放送システム等の放送媒体又はケーブルテレビジョンシステム等の伝送媒体を介して入力されたアナログデータ信号Ｓaを複写する場合について説明したが、これ以外に、下ティング装置１により製造されたＤＶＤから再生された画像信号（著作権情報及びＣＣＩ情報が挿入されている画像信号）を情報複写装置Ｃに入力して複写するように構成することもできる。
【０１４８】
（III）第２実施形態
次に、本発明に係る他の実施形態である第２実施形態について、図６及び図７を用いて説明する。
【０１４９】
なお、図６は第２実施形態に係る禁止情報書込器の概要構成を示すブロック図であり、図７は第２実施形態に係る情報複写装置Ｓの概要構成を示すブロック図である。
【０１５０】
（Ａ）カッティング装置の第２実施形態
始めに、第２実施形態に係るカッティング装置の構成及び動作について、図６を用いて説明する。
【０１５１】
なお、第２実施形態のカッティング装置においては、禁止情報書込器以外の構成及び動作については、第１実施形態のカッティング装置１と同様であるので、細部の説明は省略する。
【０１５２】
また、図６においては、図３に示す第１実施形態の禁止情報書込器３と同様の構成部材については、同様の部材番号を付して細部の説明は省略する。
【０１５３】
上述の第１実施形態のカッティング装置１においては、ディジタルデータ信号Ｓddに挿入するＣＣＩ情報としては、図３におけるディジタルデータ信号Ｓddのうち、位置信号Ｓsw2で示されるＣＣＩ情報を挿入する位置の直前のタイミングのディジタルデータ信号Ｓddに含まれる輝度の値と当該位置の直後のタイミングのディジタルデータ信号Ｓddに含まれる輝度の値とを平均し、複写禁止であることを示すＣＣＩ情報の場合には当該平均値をそのままＣＣＩ情報信号Ｓcciの値として出力し、一方、１回のみ複写可能であることを示すＣＣＩ情報の場合には当該平均値に予め設定されたオフセット値を加算した値をＣＣＩ情報信号Ｓcciの値として出力するように構成したが、第２実施形態では、予め設定された固定値をＣＣＩ情報として挿入する。
【０１５４】
すなわち、例えば、１回のみ複写可能を示すＣＣＩ情報としては「００００１０００」を固定値として用い、一方、複写禁止を示すＣＣＩ情報としては「００００１ｘｘｘ（ｘは任意の値を示す。）」を固定値として用いる。
【０１５５】
このため、第２実施形態の禁止情報書込器３’においては、ＣＰＵ３１’には、ディジタルデータ信号Ｓdd及び位置信号Ｓsw2は入力されておらず、当該ＣＰＵ３１’では第１実施形態のＣＣＩ情報信号Ｓcci（図３参照）に代えて、上記いずれかの固定値であるＣＣＩ情報信号Ｓcci'がスイッチ３０に出力され、挿入データ信号ＳdwにＣＣＩ情報として挿入される。
【０１５６】
（Ｂ）情報複写装置の第２実施形態
次に、第２実施形態に係る情報複写装置の構成及び動作について、図７を用いて説明する。
【０１５７】
なお、図７においては、図４に示す第２実施形態の情報複写装置Ｃと同様の構成部材については、同様の部材番号を付して細部の説明は省略する。
【０１５８】
上述の第２実施形態の情報複写装置Ｃにおいては、複写される記録データ信号Ｓrrに含まれる新たなＣＣＩ情報としては、当該新たなＣＣＩ情報が挿入される位置の直前のタイミングのディジタルデータ信号Ｓadに含まれる輝度の値と当該位置の直後のタイミングのディジタルデータ信号Ｓadに含まれる輝度の値とを平均し、複写禁止であることを示す新たなＣＣＩ情報として当該平均値をそのままスイッチ５６に出力して記録データ信号Ｓrrを生成するように構成したが、第２実施形態では、新たなＣＣＩ情報として予め設定された固定値を挿入する。
【０１５９】
このため、第２実施形態の情報複写装置Ｃ’においては、第１実施形態の情報複写装置Ｃにおける遅延器５２及び５３、加算器５４並びに除算器５５に加えて、複写禁止であることを示す固定値としてのＣＣＩ情報（当該固定値として具体的には、例えば、「００００１ｘｘｘ」）を含むＣＣＩ情報信号Ｓcci'を出力するＣＣＩ情報生成器６０を備えている。
【０１６０】
そして、当該ＣＣＩ情報信号Ｓcci'がスイッチ５６の一方の入力端子に入力されると共に、他方の入力端子にはディジタルデータ信号Ｓadがそのまま入力されている。
【０１６１】
そして、ディジタルデータ信号ＳadにＣＣＩ情報を挿入して記録データ信号Ｓrrを出力するタイミングにおいては、制御信号Ｓcに基づいて、スイッチ５６がＣＣＩ情報信号Ｓcci'側に切り換えられ、当該ＣＣＩ情報が挿入されることとなる。
【０１６２】
なお、この場合には、ＣＰＵ５１には、ラッチ回路５０によりディジタルデータ信号Ｓadから検出されたＣＣＩ情報信号Ｓcci'が入力されていることとなる。
【０１６３】
以上説明したように、第２実施形態のカッティング装置及び情報複写装置Ｃ’の動作によれば、ＣＣＩ情報が画像Ｇ内の画像ＨＲ以外の周縁領域内に挿入されているので、信号処理の過程において垂直ブランキング期間に相当する信号を除去する処理等を実行しても当該ＣＣＩ情報が消去されてしまうことがないこととなり、ＤＶＤに記録される記録データ信号Ｓrを生成する際に確実にＣＣＩ情報を付加することができる。
【０１６４】
また、画像Ｇ内の周縁領域にＣＣＩ情報を挿入するので、当該画像Ｇにおける画質劣化を最小限に抑制することができる。
【０１６５】
更に、画像Ｇ内にＣＣＩ情報を挿入するので、画像を処理する回路以外の他の回路を用いることなくＣＣＩ情報を伝送することができる。
【０１６６】
更に、ＣＣＩ情報が記録データ信号Ｓrの複写の許可又は不許可のいずれか一方を示す情報であるので、当該ＣＣＩ情報の欠落を防止することにより、不法複写を未然に防止することができる。
【０１６７】
また、画像ＨＲ内に著作権情報を挿入すると共に、当該著作権情報が、ＣＣＩ情報の挿入位置を示す位置情報を含むので、ＣＣＩ情報の挿入位置を正確に把握して複写することができる。
【０１６８】
更にまた、ＣＣＩ情報として固定値を用いるので、当該ＣＣＩ情報を生成するための構成を簡略化することができる。
【０１６９】
更にまた、ＤＶＤに記録されている画像中にＣＣＩ情報が挿入されているので、確実にＣＣＩ情報を取得して不法複写を防止しつつ複写することができる。
【０１７０】
また、他の記録媒体に記録データ信号Ｓrrを複写する際に、上記著作権情報を記録する必要がないので、情報複写装置Ｃの構成を簡略化することができる。
【０１７１】
なお、上述の第２実施形態では、ＣＣＩ情報を画像Ｇの周縁領域の中の一個所のみに挿入するようにしたが、これ以外に、第１実施形態と同様に、１６個所以下の複数の箇所に異なるＣＣＩ情報を挿入するように構成し、その挿入位置を示す位置情報を著作権情報中に含ませるようにすれば、ＣＣＩ情報の盗用等を確実に防止して確実にＣＣＩ情報を用いた複写を行うことができると共に、外部から雑音等が混入してもＣＣＩ情報を確実に取得することができることは言うまでもない。
【０１７２】
更に、上述の第２実施形態においては、ＣＣＩ情報として１回のみ複写を許可することを示す情報又は複写を禁止する情報のいずれかを含ませる構成としたが、これ以外に、例えば、データ信号Ｓdが衛星放送システム又はケーブルテレビシステムのうちいずれの媒体を介して入力されたものかを示す情報を更に含ませてもよい。
【０１７３】
この場合に、固定値のＣＣＩ情報の例としては、例えば、「００００１ｘｘｘ」が衛星放送からの供給された画像を示し、「０００１１ｘｘｘ」はＤＶＤから供給される画像を示すようにすることができる。
【０１７４】
【発明の効果】
以上説明したように、請求項１に記載の発明によれば、制御情報が周縁領域に対応するディジタル画像記録信号中に挿入されているので、アナログ原画像信号に対応する同期信号等を除去して当該アナログ原画像信号を処理する場合でも制御情報が消去されず、さらには制御情報の挿入位置を正確に把握することにより当該制御情報を用いてディジタル画像記録信号を再生することができる。
【０１７５】
よって、ディジタル画像記録信号を再生する際に確実に制御情報を取得して再生することができる。
【０１７６】
また、画像内の周縁領域に制御情報を挿入するので、当該画像における画質劣化を最小限に抑制することができる。
【０１７７】
更に、画像内に制御情報を挿入するので、画像信号を処理する回路以外の他の回路を用いることなく制御情報を取得することができる。
更にまた制御情報の挿入位置の前後における輝度値の平均値を用いて制御情報を挿入するので、原画像信号における画質の劣化を最小限とすることができ、例えば、制御情報の値を当該平均値としたときには複写可能を示すと共に、平均値と異なる値であれば複写不可を示すように定義しこれを判定することで、不法複写を防止することが可能となる。
【０１７８】
請求項２に記載の発明によれば、請求項１に記載の発明の効果に加えて、周縁領域内の複数の異なる位置に対応するディジタル画像記録信号内に制御情報を夫々挿入するので、制御情報の盗用等を確実に防止して確実に制御情報を用いた画像再生を行うことができる。
【０１７９】
また、画像記録信号内に雑音等が混入しても制御情報を取得することができる。
【０１８０】
請求項３に記載の発明によれば、請求項１又は２に記載の発明の効果に加えて、制御情報がディジタル画像記録信号の記録の許可又は不許可のいずれか一方を示しているので、制御情報の欠落を防止することにより、当該制御情報に基づいてディジタル画像記録信号の再生を行えば、不法複写を未然に防止することができる。
【０１８４】
請求項４に記載の発明によれば、請求項１から３のいずれか一項に記載の発明の効果に加えて、生成され所定の変調方式で変調されたディジタル画像記録信号から確実に制御情報を取得してディジタル画像記録信号を再生することができる。
【０１８５】
請求項５に記載の発明によれば、請求項１から３のいずれか一項に記載の発明の効果に加えて、確実に制御情報を取得して当該ディジタル画像記録信号を再生することができる。
【０１８６】
請求項６に記載の発明によれば、さらに制御情報を確実に検出して不法複写を防止しつつディジタル画像記録信号を記録媒体に記録することができる。
【０１８７】
また、記録媒体にディジタル画像記録信号を記録する際に、上記著作権情報を記録する必要がないので、情報記録装置の構成を簡略化することができる。
【図面の簡単な説明】
【図１】本発明の原理を説明する図であり、（ａ）はＣＣＩ情報の挿入位置を示す図であり、（ｂ）は画像信号の例を示す図である。
【図２】実施形態のカッティング装置を概要構成を示すブロック図である。
【図３】禁止情報書込器の細部構成を示すブロック図である。
【図４】情報複写装置の全体構成を示すブロック図である。
【図５】情報複写処理を示すフローチャートである。
【図６】第２実施形態に係る禁止情報書込器の概要構成を示すブロック図である。
【図７】第２実施形態に係る情報複写装置の概要構成を示すブロック図である。
【符号の説明】
１…カッティング装置
２…データ生成器
３、３’…禁止情報書込器
４…エンコーダ
５…レーザ発生器
６…光変調器
７…対物レンズ
８…回転サーボ回路
９…回転検出器
１０…送りサーボ回路
１１…位置検出器
１２…送りユニット
１３…スピンドルモータ
１４…レジスト
１５…ガラス基板
２０、４０…Ａ／Ｄコンバータ
２１、４１、５２、５３…遅延器
２２、４２…シンク検出器
２３、２４、４３、４４…カウンタ
２５、４５…バースト信号検出器
２６、４６…クロック発生器
２７、２８、４７、４８…位置検出回路
２９、３０、５６…スイッチ
３１、３１’、５１…ＣＰＵ
４９、５０…ラッチ回路
５４…加算器
５５…除算器
５７…記録器
６０…ＣＣＩ情報生成器
Ｃ、Ｃ’…情報複写装置
Ｊ…ＣＣＩ情報
Ｓd…データ信号
Ｓdr、Ｓdw…挿入データ信号
Ｓr、Ｓrr…記録データ信号
Ｓdd、Ｓad…ディジタルデータ信号
Ｓh…水平同期信号
Ｓv…垂直同期信号
Ｓch、Ｓcv…計数信号
Ｓb…バースト信号
Ｓclk…クロック信号
Ｓsw1、Ｓsw2、Ｓpw、Ｓpc…位置信号
Ｓwm…著作権情報信号
Ｓcci、Ｓcci'…ＣＣＩ情報信号
Ｓa…アナログデータ信号
Ｓc…制御信号
Ｓdl1、Ｓdl2…遅延信号
Ｓadd…加算信号
Ｓdv…除算信号
Ｓg…実体画像信号
Ｔhs…水平走査期間
Ｔhb…水平帰線消去期間
Ｔhr…表示画像期間
【図１】
0003817364.tif 000002
【図２】
0003817364.tif 000003
【図３】
0003817364.tif 000004
【図４】
0003817364.tif 000005
【図５】
0003817364.tif 000006
【図６】
0003817364.tif 000007
【図７】
0003817364.tif 000008